【事件の表示】
　特願２０００−　７０３５６号「商品陳列具および商品陳列装置」拒絶査定不服審判事件〔平成１３年　９月１８日出願公開、特開２００１−２５２１５６号〕について、次のとおり審決する。
【結　論】
　本件審判の請求は、成り立たない。
【理　由】
第１　手続の経緯
　本願は、平成１２年３月１４日の出願であって、平成１７年２月２５日付けで拒絶査定がなされ、これに対し、平成１７年４月７日に拒絶査定不服審判の請求がなされるとともに、平成１７年４月２６日受付で明細書についての手続補正がなされたものである。
　
第２　平成１７年４月２６日受付の手続補正についての補正却下の決定
［補正却下の決定の結論］
　平成１７年４月２６日受付の手続補正（以下、「本件補正」という。）を却下する。
　
［理由］
１　本件補正の内容
　本件補正は、特許請求の範囲の請求項１を、次のように補正するものである。
「１枚のシート状素材を折曲げることによって形成された前板部、底板部、左，右の側板部および背板部からなり、前記前板部は背板部よりも低い高さ寸法とし、前記左，右の側板部は
、前記
前側から後側へと
上向きに
　前記前板部と背板部との間にはスペーサを着脱可能に設け、このスペーサは、シート状素材を折曲げることにより形成され、前記商品陳列空間内に陳列した商品と前記左，右の側板部との間の隙間を調整する左，右の折曲げ板部と、該各折曲げ板部を後端側で互いに連結した連結板部とにより構成し、
　
前記左，右の折曲げ板部は、前記左，右の側板部に対応して前側から後側へと斜めに上向きに傾斜して延びる構成とした
　
２　補正の目的の適否
　本件補正は、請求項１に記載した発明を特定するために必要な事項である「左，右の側板部は前板部と背板部との間を斜めに傾斜して延びる構成とし」に「、前記…前側から後側へと…上向きに」との限定を、スペーサの「左，右の折曲げ板部」に「左，右の側板部に対応して前側から後側へと斜めに上向きに傾斜して延びる構成とした」との限定を付加するものであり、かつ、補正後の請求項１に記載された発明は、補正前の請求項１に記載された発明と、産業上の利用分野及び解決しようとする課題が同一であるので、本件補正は、平成１８年改正前特許法第１７条の２第４項第２号の特許請求の範囲の減縮を目的とするものに該当する。
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に違反しないか）について以下に検討する。
　
（１）引用例の記載事項
　原査定の拒絶の理由に引用された、実願昭５８−７３６４７号（実開昭５９−１７９６７６号）のマイクロフィルム（以下、「引用例」という。）には、図面と共に次の事項が記載されている。
ア「蓋部及び箱の側部及び前面部を夫々大きく開却した状態で商品を収納し得る箱に於いて、その箱の背板の一部に所定形状の横細長窓を穿設し、かつ左右両端にフツク部と前記横細長窓の上縁を支持し得るＵ状折曲部とを連設した針材吊具を前記箱の横細長窓に取付けて構成したことを特徴とした展示販売箱。」（実用新案登録請求の範囲）
イ「第１図に於いて、Ａは箱のブランク板であつて、貼着片１、背板２、側板３、背板２より上下巾の狭い前板４、側板５が順に連設され、背板２の上下端には蓋板６と底板７とが連設され、側板３，５の上下端には夫々折曲板８と舌片９とが連設され、前板４の上下端には折曲板１０と底板７とが連設され、更に背板２の下部には横細長窓１１が穿設されて構成されている。この箱の組立に当つては第２図及び第３図に示す如く、従来のこの種の箱と同様に折畳み構成することによつて順に組立構成することが出来る。」（明細書２頁９行〜３頁４行）
ウ「使用に当つてはスーパー等の店頭の棚Ｄ等に前記吊具Ｂを係止することによつて本願の箱を安定した状態で固定し、内部に収納した商品Ｇを展示販売することが出来る。」（明細書３頁１３行〜４頁１行）
エ　第３図には、前板４、底板７、左，右の側板３，５、および背板２からなり、前板４は背板２よりも低い高さ寸法とし、左，右の側板３，５は、前板４と背板２との間を前側から後側へと斜めに上向きに傾斜して延びる構成とし、これらの前板４、底板７、左，右の側板３，５、および背板２より商品を展示する空間を画成してなる展示販売箱が図示されている。
　
　上記アないしエの記載事項及び図示内容からみて、引用例には次の発明（以下、「引用発明」という。）が記載されていると認められる。
「１枚のブランク板を折畳み構成することによつて順に組立構成された展示販売箱であって、前板４、底板７、左，右の側板３，５、および背板２からなり、前板４は背板２よりも低い高さ寸法とし、左，右の側板３，５は、前板４と背板２との間を前側から後側へと斜めに上向きに傾斜して延びる構成とし、これらの前板４、底板７、左，右の側板３，５、および背板２より商品を展示する空間を画成してなる展示販売箱。」
　
（２）対比
　本願補正発明と引用発明とを比較する。
　引用発明の「ブランク板」は、その構造または機能からみて、本願補正発明の「シート状素材」に相当し、以下同様に、「前板４」は「前板部」に、「底板７」は「底板部」に、「側板３，５」は「側板部」に、「背板２」は「背板部」に、「展示する」は「陳列する」に、「展示販売箱」は「商品陳列具」にそれぞれ相当する。
　そして、引用発明の展示販売箱（商品陳列具）の前板４（前板部）、底板７（底板部）等は、一枚のブランク板（シート状素材）を折曲げることによって形成されることは明らかである。
　そうすると、両者は、本願補正発明の文言を用いて表現すると、
「１枚のシート状素材を折曲げることによって形成された前板部、底板部、左，右の側板部および背板部からなり、前記前板部は背板部よりも低い高さ寸法とし、前記左，右の側板部は、前記前板部と背板部との間を前側から後側へと斜めに上向きに傾斜して延びる構成とし、これらの前板部、底板部、左，右の側板部および背板部により商品を陳列する商品陳列空間を画成してなる商品陳列具。」で一致し、次の点で相違する。
＜相違点＞
　本願補正発明は、前板部と背板部との間にスペーサを着脱可能に設け、このスペーサを、シート状素材を折曲げることにより形成し、商品陳列空間内に陳列した商品と左，右の側板部との間の隙間を調整する左，右の折曲げ板部と、該各折曲げ板部を後端側で互いに連結した連結板部とにより構成し、左，右の折曲げ板部は、左，右の側板部に対応して前側から後側へと斜めに上向きに傾斜して延びる構成としているのに対して、引用発明は、このようなスペーサを備えていない点
　
（３）相違点の判断
　上記相違点について以下に検討する。
　一般に、商品を箱等に安定して収納するために、商品と箱との間の隙間にスペーサを着脱可能に設けることは通常なされていることであるから、商品陳列具に、商品を安定して陳列するために、商品陳列具と商品との間にスペーサを着脱可能に設けることは当業者が容易に想到し得ることである。
　また、スペーサの形状は、上記隙間の大きさ等により適宜きめればよいことであり、しかも、スペーサをシート状素材を折曲げることにより形成すること、及びスペーサを左，右の折曲げ板部及び連結板部で構成することは周知の技術であるから（例えば、実願昭５４−１６１９４５号（実開昭５６−８１０７３号）のマイクロフィルム、実願昭５７−７８６２８号（実開昭５８−１８０１７９号）のマイクロフィルム参照）、スペーサを左，右の折曲げ板部及び連結板部で構成することは当業者が適宜なし得る設計的事項である。そして、スペーサを商品陳列具に設ける場合、スペーサの形状は商品陳列具の形状を考慮して設計上適宜決めるものであるから、商品陳列具の左，右の側板部が、前記前板部と背板部との間を前側から後側へと斜めに上向きに傾斜して延びる構成となっている以上、スペーサを、この側板部と同じ構成とすることも当業者ならば容易に想到し得ることである。
　
　そうすると、引用発明において、前板部と背板部との間にスペーサを着脱可能に設け、このスペーサを、シート状素材を折曲げることにより形成し、商品陳列空間内に陳列した商品と左，右の側板部との間の隙間を調整する左，右の折曲げ板部と、該各折曲げ板部を後端側で互いに連結した連結板部とにより構成し、左，右の折曲げ板部は、左，右の側板部に対応して前側から後側へと斜めに上向きに傾斜して延びる構成として、本願補正発明の上記相違点に係る発明特定事項とすることは引用発明及び上記周知の技術から当業者が容易に想到し得たことである。
　
　そして、本願補正発明による効果も、引用発明及び上記周知の技術から当業者が予測し得た程度のものであって、格別のものとはいえない。
　
　したがって、本願補正発明は、引用発明及び上記周知の技術に基いて当業者が容易に発明をすることができたものであるから、特許法第２９条第２項の規定により、特許出願の際独立して特許を受けることができない。
　
（４）むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
第３　本願発明
　本件補正は、上記のとおり却下されたので、本願の請求項１に係る発明（以下、「本願発明」という。）は、平成１７年１月１９日受付の手続補正書により補正された特許請求の範囲の請求項１に記載された事項により特定される次のとおりのものである。
「１枚のシート状素材を折曲げることによって形成された前板部、底板部、左，右の側板部および背板部からなり、前記前板部は背板部よりも低い高さ寸法とし、前記左，右の側板部は前板部と背板部との間を斜めに傾斜して延びる構成とし、これらの前板部、底板部、左，右の側板部および背板部により商品を陳列する商品陳列空間を画成してなる商品陳列具において、
　前記前板部と背板部との間にはスペーサを着脱可能に設け、このスペーサは、シート状素材を折曲げることにより形成され、前記商品陳列空間内に陳列した商品と前記左，右の側板部との間の隙間を調整する左，右の折曲げ板部と、該各折曲げ板部を後端側で互いに連結した連結板部とにより構成したことを特徴とする商品陳列具。」
　
第４　引用例の記載事項
　原査定の拒絶の理由に引用された引用例、及び、その記載事項は、前記「第２　３（１）」に記載したとおりである。
　
第５　対比・判断
　本願発明は、前記「第２　１」の本願補正発明から、「左，右の側板部」の限定事項である「、前記…前側から後側へと…上向きに」、及び、スペーサの「左，右の折曲げ板部」の限定事項である「左，右の側板部に対応して前側から後側へと斜めに上向きに傾斜して延びる構成とした」との発明特定事項を省いたものである。
　そうすると、本願発明の発明特定事項をすべて含み、さらに、他の発明特定事項を付加したものに相当する本願補正発明が、前記「第２　３」に記載したとおり、引用発明及び周知の技術に基いて当業者が容易に発明をすることができたものであるから、本願発明も、同様に、引用発明及び周知の技術に基いて当業者が容易に発明をすることができたものである。
　
第６　むすび
　以上のとおり、本願発明は、引用発明及び周知の技術に基いて当業者が容易に発明をすることができたものであるから、特許法第２９条第２項の規定により特許を受けることができない。
　よって、結論のとおり審決する。